(57)【特許請求の範囲】
【請求項１】
テレビジョン信号又はＦＭ放送信号を増幅すると共に、増幅された前記テレビジョン信号又は前記ＦＭ放送信号のレベルが一定となるように制御される可変利得増幅器と、前記テレビジョン信号をテレビジョンの中間周波帯の信号に変換すると共に前記ＦＭ放送信号を前記中間周波帯における音声中間周波数の信号に変換する混合器と、前記中間周波帯の信号と前記音声周波数の信号とを出力する中間周波回路と、前記中間周波回路から出力された前記中間周波帯の信号に基づいてＡＧＣ電圧を出力するＡＧＣ検波回路とを備えたテレビジョンチューナであって、前記可変利得増幅器は前記ＡＧＣ電圧の増減方向に対応して利得が増減し、前記ＡＧＣ電圧が入力されると共に、コンデンサを介して接地された制御端子を有し、前記ＡＧＣ検波回路は前記テレビジョン信号のレベルの増減方向に対して電圧が逆方向に増減する前記ＡＧＣ電圧を出力し、エミッタが接地されると共にベースに前記中間周波回路の出力端が接続されたトランジスタを設け、前記制御端子を第一の抵抗を介して前記ＡＧＣ検波回路の出力端に接続すると共に、前記トランジスタのコレクタに接続し、前記テレビジョン信号を受信する際には前記ＡＧＣ電圧によって前記可変利得増幅器の利得を制御し、前記ＦＭ放送信号を受信する際には前記音声中間周波数の信号を検波した電圧を前記トランジスタのベースにバイアス電圧を印加して前記トランジスタをＢ級動作させることによって前記可変利得増幅器の利得を制御したことを特徴とするテレビジョンチューナ。
【請求項２】
前記制御端子を第二の抵抗を介して前記トランジスタのコレクタに接続したことを特徴とする請求項１に記載のテレビジョンチューナ。
【請求項３】
前記テレビジョン信号又は前記ＦＭ放送信号のいずれかを前記可変利得増幅器に入力する切替回路と、前記切替回路の切替を制御するための切換電圧を出力する切替制御回路とを設け、前記切換電圧を前記トランジスタのベースに印加したことを特徴とする請求項１又は２に記載のテレビジョンチューナ。
【発明の詳細な説明】
【０００１】
【発明の属する技術分野】
本発明はＦＭ放送信号を受信可能なテレビジョンチューナに関する。
【０００２】
【従来の技術】
ＦＭ放送信号を受信可能な従来のテレビジョンチューナの構成を図５に示す。テレビジョン信号及びＦＭ放送信号は切替回路３１に入力され、切替回路３１に入力された二つの信号は切替制御回路３２から出力される切替電圧によっていずれかが選択される。切替制御回路３２は図示しない選局手段によって制御され、テレビジョン信号を受信するときにはローレベルの切替電圧を発生し、ＦＭ放送信号を受信するときにはハイレベルの切替電圧を発生する。そして選択された一方が同調回路等（図示せず）を介して可変利得増幅器３３に入力される。
【０００３】
可変利得増幅器３３は制御端子３３ａを有し、この制御端子３３ａに供給される電圧（ＡＧＣ電圧）によって利得が変化し、増幅後の信号レベルをほぼ一定とするように働く。増幅された信号は混合器３４によって周波数変換されるが、テレビジョン信号の場合には選択されたチャンネルの信号を通常のテレビジョンの中間周波帯（日本仕様では５４ＭＨ〜６０ＭＨ）の信号に変換する。また、ＦＭ放送信号を受信する場合には中間周波帯の音声中間周波数（日本仕様では５４．２５ＭＨｚ）の信号に変換する。以上を総称して中間周波信号という。なお、周波数変換は図示しない局部発振器（図示せず）からの局部発振信号によって行われる。
【０００４】
中間周波信号は中間周波回路３５に入力される。中間周波回路３５はテレビジョン信号を受信するときには中間周波帯のほぼ全帯域を通過させ、ＦＭ放送信号を受信する時には音声中間周波数のみを通過するように切り替えられる。
【０００５】
中間周波回路３５から出力された中間周波信号は映像検波回路３６に入力され、テレビジョン信号の受信時には映像信号と音声信号とが得られ、ＦＭ放送信号を受信する際には音声信号が得られる。
さらに、テレビジョン信号を受信する際にはＡＧＣ検波回路３７によって映像信号が検波され、入力されるテレビジョン信号のレベルに対応して変化するＡＧＣ電圧が出力される。ＡＧＣ電圧は可変利得増幅器３３の制御端子３３ａに供給される。
【０００６】
この構成によって、入力されたテレビジョン信号のレベルが大きくなると可変利得増幅器３３の利得が減少し、その出力レベルがほぼ一定となるように制御される。
【０００７】
【発明が解決しようとする課題】
以上の構成では、ＦＭ放送信号を受信する場合、映像信号がないので、あたかも、テレビジョン信号を受信した際に、その信号レベルが極めて低くなった状態と同じくなり、ＡＧＣ検波回路３７からは固定の電圧が発生する。このため、ＦＭ放送信号が大きなレベルとなった場合にも可変利得増幅器の利得が変化せず、音声歪みを発生したり、他の信号から妨害を受けて良好な受信が出来なかった。
【０００８】
そこで、本発明のテレビジョンチューナは、ＦＭ放送信号を受信する際にも、受信した信号のレベルに応じて可変利得増幅器の利得を変えられるようにすることを目的とする。
【０００９】
【課題を解決するための手段】
上記の課題を解決するため、テレビジョン信号又はＦＭ放送信号を増幅すると共に、増幅された前記テレビジョン信号又は前記ＦＭ放送信号のレベルが一定となるように制御される可変利得増幅器と、前記テレビジョン信号をテレビジョンの中間周波帯の信号に変換すると共に前記ＦＭ放送信号を前記中間周波帯における音声中間周波数の信号に変換する混合器と、前記中間周波帯の信号と前記音声周波数の信号とを出力する中間周波回路と、前記中間周波回路から出力された前記中間周波帯の信号に基づいてＡＧＣ電圧を出力するＡＧＣ検波回路とを備えたテレビジョンチューナであって、前記可変利得増幅器は前記ＡＧＣ電圧の増減方向に対応して利得が増減し、前記ＡＧＣ電圧が入力されると共に、コンデンサを介して接地された制御端子を有し、前記ＡＧＣ検波回路は前記テレビジョン信号のレベルの増減方向に対して電圧が逆方向に増減する前記ＡＧＣ電圧を出力し、エミッタが接地されると共にベースに前記中間周波回路の出力端が接続されたトランジスタを設け、前記制御端子を第一の抵抗を介して前記ＡＧＣ検波回路の出力端に接続すると共に、前記トランジスタのコレクタに接続し、前記テレビジョン信号を受信する際には前記ＡＧＣ電圧によって前記可変利得増幅器の利得を制御し、前記ＦＭ放送信号を受信する際には前記音声中間周波数の信号を検波した電圧を前記トランジスタのベースにバイアス電圧を印加して前記トランジスタをＢ級動作させることによって前記可変利得増幅器の利得を制御した。
【００１１】
また、前記制御端子を第二の抵抗を介して前記トランジスタのコレクタに接続した。
【００１２】
また、前記テレビジョン信号又は前記ＦＭ放送信号のいずれかを前記可変利得増幅器に入力する切替回路と、前記切替回路の切替を制御するための切換電圧を出力する切替制御回路とを設け、前記切換電圧を前記トランジスタのベースに印加した。
【００１３】
【発明の実施の形態】
図１に本発明のテレビジョンチューナの構成を示す。テレビジョン信号及びＦＭ放送信号は切替回路１に入力され、切替回路１に入力された二つの信号は切替制御回路２から出力される切替電圧によっていずれかが選択される。切替制御回路２は図示しない選局手段によって制御され、テレビジョン信号を受信するときにはローレベルの切替電圧を発生し、ＦＭ放送信号を受信するときにはハイレベルの切替電圧を発生する。そしてローレベルの切替電圧によってテレビジョン信号が選択され、ハイレベルの切替電圧によってＦＭ放送信号が選択される。選択された一方が同調回路等（図示せず）を介して可変利得増幅器３に入力される。
【００１４】
可変利得増幅器３は制御端子３ａを有し、この制御端子３ａはコンデンサ３ｂによって接地される。また、この制御端子３ａに供給される電圧（ＡＧＣ電圧）によって利得が変化し、増幅後の信号レベルをほぼ一定とするように働くがＡＧＣ電圧と利得との関係は、図２に示すように、ＡＧＣ電圧が増大する方向に利得も増大する。また、増幅された信号は混合器４によって周波数変換されるが、テレビジョン信号の場合には選択されたチャンネルの信号を通常のテレビジョンの中間周波帯（日本仕様では５４ＭＨ〜６０ＭＨ）の信号に変換する。また、ＦＭ放送信号を受信する場合には中間周波帯の音声中間周波数（日本仕様では５４．２５ＭＨｚ）の信号に変換する。以上を総称して中間周波信号という。なお、周波数変換は図示しない局部発振器（図示せず）からの局部発振信号によって行われる。
【００１５】
中間周波信号は中間周波回路５に入力される。中間周波回路５はテレビジョン信号を受信するときには中間周波帯のほぼ全帯域を通過させる特性となり、ＦＭ放送信号を受信する時には音声中間周波数のみを通過させる特性となるように切り替えられる。
【００１６】
中間周波回路５から出力された中間周波信号は映像検波回路６に入力され、テレビジョン信号の受信時には映像信号と音声信号とが出力され、ＦＭ放送信号を受信する際には音声信号が出力される。
さらに、テレビジョン信号を受信する際にはＡＧＣ検波回路７によって映像信号が検波され、ＡＧＣ電圧が出力される。
ＡＧＣ検波回路７から出力されるＡＧＣ電圧は、図３に示すように、入力されるテレビジョン信号のレベルの増大方向に対して減少し、その変化範囲はおよそ０ボルトから４ボルトである。そして、ＡＧＣ電圧が第１の抵抗８を介して可変利得増幅器３の制御端子３ａに供給される。
【００１７】
また、制御端子３ａには第２の抵抗９を介してＮＰＮ型のトランジスタ１０のコレクタが接続される。トランジスタ１０のエミッタは接地され、ベースは直流カットコンデンサ１１を介して中間周波回路５の出力端に接続される。そして、ＦＭ放送信号を受信する際には切替電圧によってベースにバイアス電圧が印加されてトランジスタ１０がＢ級動作をするようになっている。このＢ級動作はベースバイアス抵抗１２、１３によって設定される。
【００１８】
以上の構成において、テレビジョン信号を受信するときには、トランジスタ１０はオフとなり、また、中間周波回路５からはＦＭ信号に基づく音声中間周波数の信号も出力されない。そして、ＡＧＣ検波回路７から出力されたＡＧＣ電圧がそのまま可変利得増幅器３の制御端子３ａに供給される。
【００１９】
一方、ＦＭ放送信号を受信するときには、中間周波回路５からＦＭ放送信号に基づく音声中間周波数の信号が出力されてトランジスタ１０のベースに入力される。さらに、中間周波信号には映像信号がないので、ＡＧＣ検波から出力されるＡＧＣ電圧はほぼ４ボルトに固定され、この電圧は第１及び第２の抵抗８、９を介してトランジスタ１０のコレクタに印加される。そして、トランジスタ１０が切替電圧によってＢ級動作をするようにバイアスされる。
【００２０】
すると、トランジスタ１０は音声中間周波数の信号によって半サイクル毎に導通してコレクタの電圧が低下するがこの低下の度合いは信号レベルに比例する。したがって、コレクタには検波電圧が現れる。そして、検波電圧がコンデンサ３ｂによって平滑され制御端子に供給される。したがって、ＦＭ放送信号の受信時におけるＡＧＣ電圧印加回路は、図４に示す等価回路となり、トランジスタ１０があたかも信号レベルが大きくなるにしたがって抵抗値が減少する可変抵抗器として働き、ＦＭ放送受信時に可変利得増幅器３がＡＧＣ制御される。
【００２１】
なお、第２の抵抗は必ずしも必須ではないが、この抵抗を設けることによってＦＭ放送信号の受信時におけるＡＧＣ動作の特性を変えることが出来る。
【００２２】
【発明の効果】
以上のように、本発明では、テレビジョン信号を受信する際にはテレビジョンの中間周波帯の信号に基づいてＡＧＣ検波回路から出力されるＡＧＣ電圧によって可変利得増幅器の利得を制御し、ＦＭ放送信号を受信する際には中間周波帯におけるＦＭ放送信号に基づく音声中間周波数の信号を検波した電圧によって可変利得増幅器の利得を制御したので、ＦＭ放送信号を受信する際にも、受信した信号のレベルに応じて可変利得増幅器の利得を変えられ、ＦＭ放送信号が大きなレベルとなった場合にも音声歪みを発生したり、他の信号から妨害を受けることがない。
【００２３】
また、可変利得増幅器はＡＧＣ電圧の増減方向に対応して利得が増減し、ＡＧＣ電圧が入力されると共に、コンデンサを介して接地された制御端子を有し、ＡＧＣ検波回路はテレビジョン信号のレベルの増減方向に対して電圧が逆方向に増減するＡＧＣ電圧を出力し、エミッタが接地されると共にベースに中間周波回路の出力端が接続されたトランジスタを設け、制御端子を第一の抵抗を介してＡＧＣ検波回路の出力端に接続すると共に、トランジスタのコレクタに接続し、ＦＭ放送信号を受信する際にのみトランジスタのベースにバイアス電圧を印加してトランジスタをＢ級動作させたので、トランジスタのコレクタには音声中間周波数の信号を検波した電圧が現れ、此がコンデンサによって平滑されて可変利得増幅の制御端子に供給される。
【００２４】
また、制御端子を第二の抵抗を介してトランジスタのコレクタに接続したので、ＦＭ放送信号の受信時におけるＡＧＣ動作の特性を変えることが出来る。
【００２５】
また、テレビジョン信号又はＦＭ放送信号のいずれかを可変利得増幅器に入力する切替回路と、切替回路の切替を制御するための切換電圧を出力する切替制御回路とを設け、切換電圧をトランジスタのベースに印加したので、ＦＭ放送信号の受信時にトランジスタをＢ級動作させることが出来る。
【図面の簡単な説明】
【図１】本発明のテレビジョンチューナの構成を示す回路図である。
【図２】本発明のテレビジョンチューナにおける可変利得増幅器のＡＧＣ電圧と利得との関係図である。
【図３】本発明のテレビジョンチューナにおけるＡＧＣ検波回路の検波特性図である。
【図４】本発明のテレビジョンチューナにおけるＡＧＣ電圧印加回路の等価回路図である。
【図５】従来のテレビジョンチューナの構成を示す回路図である。
【符号の説明】
１  切替回路
２  切替制御回路
３  可変利得増幅器
３ａ  制御端子
３ｂ  コンデンサ
４  混合器
５  中間周波回路
６  映像検波回路
７  ＡＧＣ検波回路
８  第１の抵抗
９  第２の抵抗
１０  トランジスタ
１１  直流カットコンデンサ
１２、１３  ベースバイアス抵抗
【図１】
0003809334.tif 000002
【図２】
0003809334.tif 000003
【図３】
0003809334.tif 000004
【図４】
0003809334.tif 000005
【図５】
0003809334.tif 000006